(57)【特許請求の範囲】
【請求項１】
一対のテープ部材（２０）と、
前記一対のテープ部材の対向するテープ側縁部（２０ａ）にそれぞれ取り付けられる一対のコイル状のファスナーエレメント列（３０）と、
前記コイル状のファスナーエレメント列を噛合・分離させるスライダー（４０）と、を備えるファスナーであって、
前記コイル状のファスナーエレメント列（３０）に、その長手方向に沿って内部空間（３２）が形成され、前記内部空間内に塑性変形可能な芯材（２６）が配置されることを特徴とするファスナー。
【請求項２】
前記コイル状のファスナーエレメント列（３０）は、前記テープ側縁部（２０ａ）に固定糸（３１）により取り付けられることを特徴とする請求項１に記載のファスナー。
【請求項３】
前記コイル状のファスナーエレメント列（３０）の前記内部空間（３２）内に、前記テープ部材（２０）の長手方向に沿って芯紐（３３）が配置され、
前記テープ部材の前記テープ側縁部（２０ａ）に、前記コイル状のファスナーエレメント列及び前記芯紐が前記固定糸（３１）により縫着され、
前記芯紐と前記芯材（２６）が、前記コイル状のファスナーエレメント列の前記内部空間内に配置されることを特徴とする請求項２に記載のファスナー。
【請求項４】
前記コイル状のファスナーエレメント列（３０）は、前記テープ部材（２０）の織製又は編製と同時に前記固定糸により固定して、織り込み又は編み込まれてなることを特徴とする請求項１に記載のファスナー。
【請求項５】
前記芯材（２６）は、前記芯紐（３３）内に織り込み又は編み込みにより配置されることを特徴とする請求項３に記載のファスナー。
【請求項６】
前記芯材（２６）は、前記固定糸（３１）の前記テープ部材（２０）の幅方向外側に配置されることを特徴とする請求項２に記載のファスナー。
【請求項７】
前記テープ部材（１１０）は、織製又は編製からなり、
前記テープ部材の幅方向中間部分に、前記中間部分と隣り合う左右部分よりも織組織又は編組織が粗い粗組織領域（１１１）を、前記テープ部材の長手方向に沿って連続して設け、
前記粗組織領域において前記テープ部材を幅方向に折り返して、前記粗組織領域を前記テープ側縁部（１１０ａ）とし、
折り返した前記テープ部材の表裏方向に対向する表側テープ部（１１２）と裏側テープ部（１１３）との間に前記コイル状のファスナーエレメント列（３０）を配置し、
前記コイル状のファスナーエレメント列の噛合頭部（３４）を前記テープ部材の内面側から前記粗組織領域を介して外面側に突出し、
前記芯材（２６ｂ）が、折り返した前記テープ部材の内面側に配置されることを特徴とする請求項１に記載のファスナー。
【請求項８】
一対のテープ部材（２０）と、
前記一対のテープ部材の対向するテープ側縁部（２０ａ）にそれぞれ取り付けられる一対のファスナーエレメント列（１００，１２１，１３１）と、
前記ファスナーエレメント列を噛合・分離させるスライダー（４０）と、を備えるファスナーであって、
前記テープ側縁部（２０ａ）に沿って塑性変形可能な樹脂製又は金属製の線材からなる芯材（２６）が配置され、
前記芯材（２６）は、複数本の編糸からなる編チューブ（１２０）により被覆されていると共に、前記ファスナーエレメント列（１００，１２１，１３１）により前記テープ部材（２０）の表裏方向両側から保持されることを特徴とするファスナー。
【請求項９】
前記テープ側縁部（２０ａ）に沿って少なくとも１つの袋織部（２４）が設けられ、
前記袋織部の内部に前記芯材（２６）が配置されることを特徴とする請求項８に記載のファスナー。
【請求項１０】
織製される一対のテープ部材（２０）と、前記一対のテープ部材の対向するテープ側縁部（２０ａ）に設けられる一対のエレメント列（３０）と、前記一対のエレメント列を噛合・分離させるスライダー（４０）と、を備えるファスナーであって、
前記一対のテープ部材は、前記エレメント列が取り付けられる内側平織部（２３）と、前記内側平織部の幅方向外側に前記テープ部材の長手方向に沿って設けられる袋織部（２４）と、前記袋織部の幅方向外側に設けられる外側平織部（２５）と、をそれぞれ有して、
前記袋織部（２４）は、前記テープ部材（２０）の表面側に表面側織部と、前記テープ部材（２０）の裏面側に裏面側織部と、を有し、表面側織部及び裏面側織部は、前記内側平織部（２３）及び前記外側平織部（２５）とは別の経糸（２１）と、前記内側平織部（２３）及び前記外側平織部（２５）と同じ緯糸（２２）から織製され、
前記袋織部（２４）は、前記一対のエレメント列を噛合した状態で、前記一対のエレメント列の幅方向両側に形成され、
前記袋織部の内部に、塑性変形可能な芯材（２６，２６ａ）が挿通されることを特徴とするファスナー。
【請求項１１】
前記袋織部（２４）は、前記テープ部材（２０）の幅方向において前記外側平織部（２５）の寸法が前記内側平織部（２３）の寸法よりも大きくなるように、前記外側平織部と前記内側平織部の間に配置されることを特徴とする請求項１０に記載のファスナー。
【請求項１２】
前記袋織部（２４）は、前記テープ部材（２０）の幅方向断面において前記テープ部材の幅方向の寸法が前記テープ部材の表裏方向の寸法よりも長い略楕円形状に形成されることを特徴とする請求項１０又は１１に記載のファスナー。
【請求項１３】
前記袋織部（２４）は、前記テープ部材（２０）の幅方向断面において前記テープ部材の幅方向の寸法が前記テープ部材の表裏方向の寸法よりも長い略楕円形状に形成され、
前記芯材（２６）は、２本以上使用されて前記袋織部に前記テープ部材（２０）の幅方向に並べて挿通されることを特徴とする請求項１０又は１１に記載のファスナー。
【請求項１４】
前記芯材（２６，２６ａ）は、樹脂製であり、前記テープ部材（２０）の両端部側で前記テープ部材に溶着されることを特徴とする請求項１０〜１３のいずれかに記載のファスナー。
【発明の詳細な説明】
【技術分野】
【０００１】
この発明は、ファスナーに関し、詳細には、保形性を有するスライドファスナー、テープ付きスナップファスナー、及び面ファスナーに関する。
【背景技術】
【０００２】
従来の保形性を有するファスナーとしては、平織り構造のファスナーテープ（テープ部材）に、塑性変形可能な樹脂製の芯材を、経糸（スライダーの移動方向）と平行に織り込んだスライドファスナーが知られている（例えば、特許文献１参照）。
【先行技術文献】
【特許文献】
【０００３】
【特許文献１】日本国実用新案登録第３１２０６３０号公報
【発明の概要】
【発明が解決しようとする課題】
【０００４】
しかしながら、上記特許文献１に記載のスライドファスナーでは、ファスナーテープに芯材が織り込まれることにより、ファスナーテープの表面に樹脂製の芯材が露出するため、アイロン掛けの熱などにより樹脂製の芯材が変形して、ファスナーの保形性が損なわれる可能性があると共に、ファスナーテープとの同色性を確保することができなかった。また、芯材がファスナーテープに対して固定されていないため、ファスナーテープの裁断後に芯材が外部に出てしまう可能性があった。【０００５】
本発明は、上述した事情に鑑みてなされたものであり、その目的は、ファスナーの保形性が損なわれるのを防止することができ、また、テープ部材と芯材の同色性を考慮する必要がなく、また、テープ部材の裁断後に芯材が外部に出てしまうのを防止することができるファスナーを提供することにある。
【課題を解決するための手段】
【０００６】
本発明の上記目的は、下記の構成により達成される。
（１）一対のテープ部材と、一対のテープ部材の対向するテープ側縁部にそれぞれ取り付けられる一対のコイル状のファスナーエレメント列と、コイル状のファスナーエレメント列を噛合・分離させるスライダーと、を備えるファスナーであって、コイル状のファスナーエレメント列に、その長手方向に沿って内部空間が形成され、内部空間内に塑性変形可能な芯材が配置されることを特徴とするファスナー。
（２）コイル状のファスナーエレメント列は、テープ側縁部に固定糸により取り付けられることを特徴とする（１）に記載のファスナー。
（３）コイル状のファスナーエレメント列の内部空間内に、テープ部材の長手方向に沿って芯紐が配置され、テープ部材のテープ側縁部に、コイル状のファスナーエレメント列及び芯紐が固定糸により縫着され、芯紐と芯材が、コイル状のファスナーエレメント列の内部空間内に配置されることを特徴とする（２）に記載のファスナー。
（４）コイル状のファスナーエレメント列は、テープ部材の織製又は編製と同時に固定糸により固定して、織り込み又は編み込まれてなることを特徴とする（１）に記載のファスナー。
（５）芯材は、芯紐内に織り込み又は編み込みにより配置されることを特徴とする（３）に記載のファスナー。
（６）芯材は、固定糸のテープ部材の幅方向外側に配置されることを特徴とする（２）に記載のファスナー。
（７）テープ部材は、織製又は編製からなり、テープ部材の幅方向中間部分に、中間部分と隣り合う左右部分よりも織組織又は編組織が粗い粗組織領域を、テープ部材の長手方向に沿って連続して設け、粗組織領域においてテープ部材を幅方向に折り返して、粗組織領域をテープ側縁部とし、折り返したテープ部材の表裏方向に対向する表側テープ部と裏側テープ部との間にコイル状のファスナーエレメント列を配置し、コイル状のファスナーエレメント列の噛合頭部をテープ部材の内面側から粗組織領域を介して外面側に突出し、芯材が、折り返したテープ部材の内面側に配置されることを特徴とする（１）に記載のファスナー。
（８）一対のテープ部材と、一対のテープ部材の対向するテープ側縁部にそれぞれ取り付けられる一対のファスナーエレメント列と、ファスナーエレメント列を噛合・分離させるスライダーと、を備えるファスナーであって、テープ側縁部に沿って塑性変形可能な芯材が配置され、芯材は、ファスナーエレメント列によりテープ部材の表裏方向両側から保持されることを特徴とするファスナー。
（９）芯材は、ファスナーエレメント列によりテープ部材の表裏方向両側から挟持されることを特徴とする（８）に記載のファスナー。
（１０）テープ側縁部に沿って少なくとも１つの袋織部が設けられ、袋織部の内部に芯材が配置されることを特徴とする請求項（９）に記載のファスナー。
（１１）芯材は、複数本の編糸からなる編チューブにより被覆されることを特徴とする（９）又は（１０）に記載のファスナー。
（１２）連結・分離可能な一対の係合素子の少なくとも一方を有し、織製されるテープ部材を備えるファスナーであって、テープ部材の長手方向に沿って袋織部が設けられ、袋織部の内部に、塑性変形可能な芯材が挿通されることを特徴とするファスナー。
（１３）係合素子は、一対のテープ部材の対向するテープ側縁部に設けられる一対のエレメント列であって、一対のエレメント列を噛合・分離させるスライダーを有し、袋織部は、一対のエレメント列を噛合した状態で、一対のエレメント列の幅方向両側の少なくとも一方に形成されることを特徴とする（１２）に記載のファスナー。
（１４）係合素子は、テープ部材の表面及び裏面の少なくとも一方に設けられる係合部であって、袋織部は、係合部を挟んだ幅方向両側に形成されることを特徴とする（１２）に記載のファスナー。
（１５）袋織部は、テープ部材の幅方向断面において略楕円形状に形成されることを特徴とする（１２）に記載のファスナー。
（１６）芯材は、２本以上使用されることを特徴とする（１２）〜（１５）のいずれかに記載のファスナー。
（１７）芯材は、樹脂製であり、テープ部材の両端部側でテープ部材に溶着されることを特徴とする（１２）〜（１６）のいずれかに記載のファスナー。
【発明の効果】
【０００７】
本発明のファスナーによれば、一対のテープ部材の対向するテープ側縁部に一対のコイル状のファスナーエレメント列がそれぞれ取り付けられ、コイル状のファスナーエレメント列に、その長手方向に沿って内部空間が形成され、内部空間内に塑性変形可能な芯材が配置されるため、テープ部材の表面に樹脂製の芯材が露出することがない。これにより、アイロン掛けの熱などにより樹脂製の芯材が変形することがないので、ファスナーの保形性が損なわれるのを防止することができ、また、テープ部材と芯材の同色性を考慮する必要がない。また、芯材に例えば、指やアイロンなどが引っ掛かることを回避することができる。また、コイル状のファスナーエレメント列の内部空間内に芯材が配置されるので、衣服等の生地をファスナーエレメント列の縁部に接近させて、テープ部材を衣服等の生地に縫い付けることができる。【０００８】
本発明のファスナーによれば、粗組織領域においてテープ部材を幅方向に折り返し、折り返したテープ部材の内面側に芯材が配置されるため、テープ部材の表面に樹脂製の芯材が露出することがない。これにより、アイロン掛けの熱などにより樹脂製の芯材が変形することがないので、ファスナーの保形性が損なわれるのを防止することができ、また、テープ部材と芯材の同色性を考慮する必要がない。また、芯材に例えば、指やアイロンなどが引っ掛かることを回避することができる。【０００９】
本発明のファスナーによれば、テープ側縁部に沿って塑性変形可能な樹脂製又は金属製の線材からなる芯材が配置され、芯材が、複数本の編糸からなる編チューブにより被覆されていると共に、ファスナーエレメント列によりテープ部材の表裏方向両側から保持されるため、テープ部材の表面に芯材が露出することがない。これにより、芯材が樹脂製の場合には、アイロン掛けの熱などにより樹脂製の芯材が変形することがないので、ファスナーの保形性が損なわれるのを防止することができ、また、テープ部材と芯材の同色性を考慮する必要がない。また、芯材に例えば、指やアイロンなどが引っ掛かることを回避することができる。また、芯材がファスナーエレメント列により保持されるため、テープ部材の裁断後に芯材が外部に出てしまうのを防止することができる。
【００１０】
本発明のファスナーによれば、一対のテープ部材は、エレメント列が取り付けられる内側平織部と、内側平織部の幅方向外側にテープ部材の長手方向に沿って設けられる袋織部と、袋織部の幅方向外側に設けられる外側平織部と、をそれぞれ有して、袋織部は、テープ部材の表面側に表面側織部と、テープ部材の裏面側に裏面側織部と、を有し、表面側織部及び裏面側織部は、内側平織部及び外側平織部とは別の経糸と、内側平織部及び外側平織部と同じ緯糸から織製され、袋織部は、一対のエレメント列を噛合した状態で、一対のエレメント列の幅方向両側に形成され、袋織部の内部に、塑性変形可能な芯材が挿通されるため、テープ部材の表面に樹脂製の芯材が露出することがない。これにより、アイロン掛けの熱などにより樹脂製の芯材が変形することがないので、ファスナーの保形性が損なわれるのを防止することができ、また、テープ部材と芯材の同色性を考慮する必要がない。また、芯材に例えば、指やアイロンなどが引っ掛かることを回避することができる。
【００１１】
本発明のファスナーによれば、芯材は、樹脂製であり、テープ部材の両端部側でテープ部材に溶着されるため、テープ部材の裁断後に芯材が外部に出てしまうのを防止することができる。
【図面の簡単な説明】
【００１２】
本発明の上記目的は、下記の構成により達成される。
（１）一対のテープ部材と、一対のテープ部材の対向するテープ側縁部にそれぞれ取り付けられる一対のコイル状のファスナーエレメント列と、コイル状のファスナーエレメント列を噛合・分離させるスライダーと、を備えるファスナーであって、コイル状のファスナーエレメント列に、その長手方向に沿って内部空間が形成され、内部空間内に塑性変形可能な芯材が配置されることを特徴とするファスナー。
（２）コイル状のファスナーエレメント列は、テープ側縁部に固定糸により取り付けられることを特徴とする（１）に記載のファスナー。
（３）コイル状のファスナーエレメント列の内部空間内に、テープ部材の長手方向に沿って芯紐が配置され、テープ部材のテープ側縁部に、コイル状のファスナーエレメント列及び芯紐が固定糸により縫着され、芯紐と芯材が、コイル状のファスナーエレメント列の内部空間内に配置されることを特徴とする（２）に記載のファスナー。
（４）コイル状のファスナーエレメント列は、テープ部材の織製又は編製と同時に固定糸により固定して、織り込み又は編み込まれてなることを特徴とする（１）に記載のファスナー。
（５）芯材は、芯紐内に織り込み又は編み込みにより配置されることを特徴とする（３）に記載のファスナー。
（６）芯材は、固定糸のテープ部材の幅方向外側に配置されることを特徴とする（２）に記載のファスナー。
（７）テープ部材は、織製又は編製からなり、テープ部材の幅方向中間部分に、中間部分と隣り合う左右部分よりも織組織又は編組織が粗い粗組織領域を、テープ部材の長手方向に沿って連続して設け、粗組織領域においてテープ部材を幅方向に折り返して、粗組織領域をテープ側縁部とし、折り返したテープ部材の表裏方向に対向する表側テープ部と裏側テープ部との間にコイル状のファスナーエレメント列を配置し、コイル状のファスナーエレメント列の噛合頭部をテープ部材の内面側から粗組織領域を介して外面側に突出し、芯材が、折り返したテープ部材の内面側に配置されることを特徴とする（１）に記載のファスナー。
（８）一対のテープ部材と、一対のテープ部材の対向するテープ側縁部にそれぞれ取り付けられる一対のファスナーエレメント列と、ファスナーエレメント列を噛合・分離させるスライダーと、を備えるファスナーであって、テープ側縁部に沿って塑性変形可能な樹脂製又は金属製の線材からなる芯材が配置され、芯材は、複数本の編糸からなる編チューブにより被覆されていると共に、ファスナーエレメント列によりテープ部材の表裏方向両側から保持されることを特徴とするファスナー。
（９）テープ側縁部に沿って少なくとも１つの袋織部が設けられ、袋織部の内部に芯材が配置されることを特徴とする（８）に記載のファスナー。
（１０）織製される一対のテープ部材と、一対のテープ部材の対向するテープ側縁部に設けられる一対のエレメント列と、一対のエレメント列を噛合・分離させるスライダーと、を備えるファスナーであって、一対のテープ部材は、エレメント列が取り付けられる内側平織部と、内側平織部の幅方向外側にテープ部材の長手方向に沿って設けられる袋織部と、袋織部の幅方向外側に設けられる外側平織部と、をそれぞれ有して、袋織部は、テープ部材の表面側に表面側織部と、テープ部材の裏面側に裏面側織部と、を有し、表面側織部及び裏面側織部は、内側平織部及び外側平織部とは別の経糸と、内側平織部及び外側平織部と同じ緯糸から織製され、袋織部は、一対のエレメント列を噛合した状態で、一対のエレメント列の幅方向両側に形成され、袋織部の内部に、塑性変形可能な芯材が挿通されることを特徴とするファスナー。
（１１）袋織部は、テープ部材の幅方向において外側平織部の寸法が内側平織部の寸法よりも大きくなるように、外側平織部と内側平織部の間に配置されることを特徴とする（１０）に記載のファスナー。
（１２）袋織部は、テープ部材の幅方向断面においてテープ部材の幅方向の寸法がテープ部材の表裏方向の寸法よりも長い略楕円形状に形成されることを特徴とする（１０）又は（１１）に記載のファスナー。
（１３）袋織部は、テープ部材の幅方向断面においてテープ部材の幅方向の寸法がテープ部材の表裏方向の寸法よりも長い略楕円形状に形成され、芯材は、２本以上使用されて袋織部にテープ部材の幅方向に並べて挿通されることを特徴とする（１０）又は（１１）に記載のファスナー。
（１４）芯材は、樹脂製であり、テープ部材の両端部側でテープ部材に溶着されることを特徴とする（１０）〜（１３）のいずれかに記載のファスナー。
【発明を実施するための形態】
【００１３】
（第１実施形態）
まず、図１〜図６を参照して、本発明に係るファスナーの第１実施形態であるスライドファスナーについて説明する。
【００１４】
本実施形態のスライドファスナー（ファスナー）１０は、図１及び図２に示すように、幅方向に平行に配置される左右一対のファスナーテープ（テープ部材）２０と、左右一対のファスナーテープ２０の一面側の対向するテープ側縁部２０ａに縫い糸（固定糸）３１により縫着される左右一対で互いに連結・分離可能なコイルエレメント列（エレメント列、係合素子）３０と、左右一対のコイルエレメント列３０に挿通され、左右一対のコイルエレメント列３０を噛合・分離させるスライダー４０と、左右一対のコイルエレメント列３０の上端部に取り付けられる一対の上止具１１と、左右一対のコイルエレメント列３０の下端部を分離不能に結合する下止具１２と、を備える。また、スライダー４０は、操作時に把持する引手４１を有する。なお、本実施形態並びに後述する第２〜第９実施形態では、ファスナーテープのテープ長さ方向（長手方向）を上下方向とし（コイルエレメント列３０に対し上止具１１が配置される側を上方、コイルエレメント列３０に対し下止具１２が配置される側を下方とする）、そのテープの平面上で上下方向に直交する方向を幅方向とする。コイルエレメント（コイル状のファスナーエレメント）列３０は、合成樹脂製のモノフィラメントを一定方向に巻回し、対向する相手側の同コイルエレメント列３０と噛合する噛合頭部と、噛合頭部から幅方向に延びる上脚部及び下脚部と、その脚部を繋ぐ反転部と、を有し、それらに囲まれる内部空間が形成される。
【００１５】
ファスナーテープ２０は、図３に示すように、複数の経糸２１及び緯糸２２から織製されており、コイルエレメント列３０が縫着される内側平織部２３と、内側平織部２３の幅方向外側（コイルエレメント列３０から離れる側）にファスナーテープ２０の長手方向に沿って設けられる袋織部２４と、袋織部２４の幅方向外側に設けられる外側平織部２５と、を有する。即ち、袋織部２４は、左右一対のコイルエレメント列３０を噛合した状態で、左右一対のコイルエレメント列３０の幅方向両側に形成される。
【００１６】
そして、本実施形態では、図３に示すように、袋織部２４は、ファスナーテープ２０の幅方向断面において幅方向に横長状の略楕円形状に形成されており、この略楕円形状の袋織部２４の内部には、塑性変形可能な断面円形状の芯材２６が幅方向に並べて２本挿通されている。これにより、スライドファスナー１０を折り曲げた状態に保持することが可能となり、スライドファスナー１０を自由自在に変形させることができる。袋織部２４は、ファスナーテープ２０の表面側（スライダー４０の引手４１側）に表面側織部と、ファスナーテープ２０の裏面側（スライダー４０の引手４１と反対側）に裏面側織部と、を有し、表面側織部及び裏面側織部は、内側平織部２３及び外側平織部２５とは別の経糸２１と、内側平織部２３及び外側平織部２５と同じ緯糸２２から織製され、表面側織部と裏面側織部とは、その間に筒状の空間が形成されるように織製されている。この袋織部２４に芯材２６を挿通することで、袋織部２４は、袋織部２４の幅方向両側に設けた内側平織部２３及び外側平織部２５の平面よりも膨大するようになる。ここで、断面楕円形状とは、テープ幅方向の寸法がテープ表裏方向の寸法よりも長い形状である。この袋織部２４は、図示するように、ファスナーテープ２０の長手方向全長に亘って設けられ、芯材２６も全長に亘って挿通され、芯材２６はコイルエレメント列３０よりも長い。さらに、幅方向において、内側平織部２３に対して外側平織部２５が大きい寸法になる位置に袋織部２４を有するため、スライドファスナー１０を衣服などに取り付ける際に、大きい外側平織部２５を利用して取り付けることができる。
【００１７】
芯材２６は、断面略円形状の樹脂製の線材であり、具体的には、直径１．１ｍｍ、引張強度４２．４ｋｇ／ｍｍ２、伸び８．２％のポリエチレン製の線材である。また、芯材２６は、塑性変形可能であるため形状保持性（保形性）を有しており、その形状保持性は、線材２６を９０度に折り曲げ５分間保持した後の戻り角度により評価され、本実施形態の芯材２６の形状保持性は約８度である。なお、芯材２６は、樹脂製に限らず、同様に塑性変形する材料であればよく、金属製であってもよい。また、芯材２６の塑性変形とは、一旦折り曲げると重力などの自然の力で元に戻ることがない変形のことで、折り曲げた状態を真っ直ぐにするには、折り曲げた状態と反対に力を加える必要がある変形のことである。
【００１８】
また、本実施形態では、図１及び図２に示すように、芯材２６は、その両端部側（上下端側）において超音波や高周波によりファスナーテープ２０に熱溶着されている。なお、図中の符号２７は、上記熱溶着による溶着部である。
【００１９】
以上説明したように、本実施形態のスライドファスナー１０によれば、左右一対のファスナーテープ２０の噛合した状態の左右一対のコイルエレメント列３０の幅方向両側に、ファスナーテープ２０の長手方向に沿って袋織部２４が設けられ、この袋織部２４の内部に、塑性変形可能な芯材２６が挿通されるため、ファスナーテープ２０の表面に樹脂製の芯材２６が露出することがない。これにより、アイロン掛けの熱などにより樹脂製の芯材２６が変形することがないので、スライドファスナー１０の保形性が損なわれるのを防止することができ、また、ファスナーテープ２０と芯材２６の同色性を考慮する必要がない。また、芯材２６に例えば、指やアイロンなどが引っ掛かることを回避することができる。なお、袋織部２４を左右一対のコイルエレメント列３０の幅方向一方側に設け、その袋織部２４に芯材２６を挿通することもできる。
【００２０】
また、本実施形態のスライドファスナー１０によれば、芯材２６は、樹脂製であり、ファスナーテープ２０の両端部側でファスナーテープ２０に溶着されるため、ファスナーテープ２０の裁断後に芯材２６が外部に出てしまうのを防止することができる。なお、溶着部２７は、ファスナーテープ２０の裁断後に、裁断とは別の工程で溶着するようにしてもよいし、裁断と同時に溶着するようにしてもよい。また、上記係合素子をコイルエレメントとしたが、一般に使用されるスライドファスナーにも適用することができ、例えば、樹脂の射出成形による務歯、金属製の務歯とすることもできる。また、磁力を有する務歯を設け、左右一対のファスナーテープ２０を連結・分離するようにしてもよい。
【００２１】
なお、本実施形態の第１変形例として、図４に示すように、袋織部２４の表面側織部の幅方向中央部の緯糸２２を裏面側織部に延ばし、袋織部２４の裏面側織部の経糸２１に織り込むと共に、袋織部２４の裏面側織部の幅方向中央部の緯糸２２を表面側織部に延ばし、袋織部２４の表面側織部の経糸２１に織り込むことにより、２本の芯材２６間に緯糸２２，２２による仕切部２８を設けるようにしてもよい。このように仕切部２８を設けることで、２本の芯材２６が袋織部２４の内部で個別に保持されるので、ファスナーテープ２０を変形させるのにより適する。
【００２２】
また、本実施形態の第２変形例として、図５に示すように、略楕円形状の袋織部２４の内部に、２本の断面円形状の芯材２６の代わりに、１本の塑性変形可能な断面略楕円形状の芯材２６ａを挿通するようにしてもよい。
【００２３】
また、本実施形態の第３変形例として、図６に示すように、一対のファスナーテープ２０の幅方向外側のテープ側縁部に、略Ｖ字状の切込部２９を連続して形成するようにしてもよい。この場合、スライドファスナー１０を幅方向に折り曲げやすくすることができるので、スライドファスナー１０の変形の自由度を向上することができる。
【００２４】
（第２実施形態）
次に、図７及び図８を参照して、本発明に係るファスナーの第２実施形態であるテープ付きスナップファスナーについて説明する。なお、第１実施形態と同一又は同等部分については、図面に同一符号を付してその説明を省略或いは簡略化する。
【００２５】
本実施形態のテープ付きスナップファスナー（ファスナー）６０は、図７及び図８に示すように、表裏方向に平行に配置される一対のファスナーテープ（テープ部材）７０と、一対のファスナーテープ７０の対向面で、ファスナーテープ７０の表面側（一面側）に、ファスナーテープ７０の長手方向に沿って複数取り付けられる雄側スナップ６１及び雌側スナップ６２（係合部、係合素子）と、を備える。これら雄側スナップ６１及び雌側スナップ６２は互いに係合して連結・分離可能である。なお、図面では、雄側スナップ６１は下側のファスナーテープ７０に取り付けられ、雌側スナップ６２は上側のファスナーテープ７０に取り付けられている。また、図示は省略するが、ファスナーテープ７０の裏面側（他面側）に雄側スナップ６１又は雌側スナップ６２を取り付けてもよい。
【００２６】
ファスナーテープ７０は、上記第１実施形態と同じく、複数の経糸及び緯糸から織製されており、雄側及び雌側スナップ６１，６２が射出成形されて取り付けられる内側平織部７１と、内側平織部７１の雄側及び雌側スナップ６１，６２を挟んだ幅方向両側（雄側及び雌側スナップ６１，６２から離れる側）に、ファスナーテープ７０の長手方向に沿って設けられる袋織部７２，７２と、袋織部７２の幅方向外側に設けられる外側平織部７３，７３と、を有する。
【００２７】
そして、本実施形態では、図８に示すように、袋織部７２は、ファスナーテープ７０の幅方向断面において幅方向に横長状の略楕円形状に形成されており、この略楕円形状の袋織部７２の内部には、塑性変形可能な断面円形状の芯材２６が幅方向に並べて２本挿通されている。これにより、スナップファスナー６０を折り曲げた状態に保持することが可能となり、スナップファスナー６０を自由自在に変形させることができる。
【００２８】
なお、本実施形態では、一対のファスナーテープ７０の両方に袋織部７２及び芯材２６を設けているが、これに限定されず、一対のファスナーテープ７０のどちらか一方に袋織部７２及び芯材２６を設けるようにしてもよい。また、上記第１実施形態の第１変形例のように、２本の芯材２６の間に仕切部２８を設けるようにしてもよく、また、第２変形例のように、袋織部７２に１本の塑性変形可能な断面略楕円形状の芯材２６ａを挿通するようにしてもよく、また、第３変形例のように、一対のファスナーテープ７０の幅方向両側のテープ側縁部に略Ｖ字状の切込部２９を連続して形成するようにしてもよい。
【００２９】
以上説明したように、本実施形態のテープ付きスナップファスナー６０によれば、表裏方向に平行に配置される一対のファスナーテープ７０の雄側及び雌側スナップ６１，６２を挟んだ幅方向両側に、ファスナーテープ７０の長手方向に沿って袋織部７２，７２が設けられ、この袋織部７２，７２の内部に、塑性変形可能な芯材２６が挿通されるため、ファスナーテープ７０の表面に樹脂製の芯材２６が露出することがない。これにより、アイロン掛けの熱などにより樹脂製の芯材２６が変形することがないので、テープ付きスナップファスナー６０の保形性が損なわれるのを防止することができ、また、ファスナーテープ７０と芯材２６の同色性を考慮する必要がない。また、芯材２６に例えば、指やアイロンなどが引っ掛かることを回避することができる。なお、上記雄側及び雌側スナップ６１，６２に代えて、磁力を有する係合素子として、互いに磁力で吸着することで、連結・分離可能なファスナーとしてもよい。
その他の構成及び作用効果については、上記第１実施形態と同様である。
【００３０】
（第３実施形態）
次に、図９〜図１１を参照して、本発明に係るファスナーの第３実施形態である面ファスナーについて説明する。なお、第１実施形態と同一又は同等部分については、図面に同一符号を付してその説明を省略或いは簡略化する。
【００３１】
本実施形態の面ファスナー（ファスナー）８０は、図９及び図１０に示すように、表裏方向に平行に配置される一対のファスナーテープ（テープ部材）９０と、一対のファスナーテープ９０の対向面で、ファスナーテープ９０の表面側（一面側）に、ファスナーテープ９０の長手方向に沿って多数設けられるループ状係合部８１及びフック状係合部８２（係合部、係合素子）と、を備え、互いに係合して連結・分離可能である。なお、図面では、ループ状係合部８１は下側のファスナーテープ９０に設けられ、フック状係合部８２は上側のファスナーテープ９０に設けられている。
【００３２】
ファスナーテープ９０は、上記第１実施形態と同じく、複数の経糸及び緯糸から織製されており、ループ状及びフック状係合部８１，８２が設けられる内側平織部９１と、内側平織部９１のループ状及びフック状係合部８１，８２を挟んだ幅方向両側（ループ状及びフック状係合部８１，８２から離れる側）に、ファスナーテープ９０の長手方向に沿って設けられる袋織部９２，９２と、袋織部９２の幅方向外側に設けられる外側平織部９３，９３と、を有する。
【００３３】
そして、本実施形態では、図１０に示すように、袋織部９２は、ファスナーテープ９０の幅方向断面において幅方向に横長状の略楕円形状に形成されており、この略楕円形状の袋織部９２の内部には、塑性変形可能な断面円形状の芯材２６が幅方向に並べて２本挿通されている。これにより、面ファスナー８０を折り曲げた状態に保持することが可能となり、面ファスナー８０を自由自在に変形させることができる。
【００３４】
なお、本実施形態では、一対のファスナーテープ９０の両方に袋織部９２及び芯材２６を設けているが、これに限定されず、一対のファスナーテープ９０のどちらか一方に袋織部９２及び芯材２６を設けるようにしてもよい。また、上記第１実施形態の第１変形例のように、２本の芯材２６の間に仕切部２８を設けるようにしてもよく、また、第２変形例のように、袋織部９２に１本の塑性変形可能な断面略楕円形状の芯材２６ａを挿通するようにしてもよく、また、第３変形例のように、一対のファスナーテープ９０の幅方向両側のテープ側縁部に略Ｖ字状の切込部２９を連続して形成するようにしてもよい。また、面ファスナー８０のループ状及びフック状係合部８１，８２を同一のファスナーテープ９０に設けた混在型の面ファスナーにしてもよい。さらに、フック状係合部８２はファスナーテープ９０に織り込む以外に、射出成形によってフック状係合部８２を形成してもよい。また、面ファスナーの係合素子をファスナーテープ９０の表裏面の両方に形成することもできる。
【００３５】
以上説明したように、本実施形態の面ファスナー８０によれば、表裏方向に平行に配置される一対のファスナーテープ９０のループ状及びフック状係合部８１，８２を挟んだ幅方向両側に、ファスナーテープ９０の長手方向に沿って袋織部９２，９２が設けられ、この袋織部９２，９２の内部に、塑性変形可能な芯材２６が挿通されるため、ファスナーテープ９０の表面に樹脂製の芯材２６が露出することがない。これにより、アイロン掛けの熱などにより樹脂製の芯材２６が変形することがないので、面ファスナー８０の保形性が損なわれるのを防止することができ、また、ファスナーテープ９０と芯材２６の同色性を考慮する必要がない。また、芯材２６に例えば、指やアイロンなどが引っ掛かることを回避することができる。
その他の構成及び作用効果については、上記第１実施形態と同様である。
【００３６】
なお、本実施形態の変形例として、図１１に示すように、一対のファスナーテープ９０の内の一方側（下側）のファスナーテープ９０を長さの短い短片に形成して、この短片のファスナーテープ９０に袋織部９２及び芯材２６を設けないようにしてもよい。この場合、短片のファスナーテープ９０の１枚又は複数を衣服の袖口や前開きの衣服の開閉縁部に取り付けると共に、その相手側の袖口や開閉縁部に他方側（上側）のファスナーテープ９０を取り付けることにより、袖口や開閉縁部の開閉が可能になる。また、一方側（下側）を、ファスナーテープ９０に代えて、他方側（上側）のファスナーテープ９０と連結・分離可能な不織布や衣服の一部、又はカーペットなどの産業用資材自体にしてもよい。
【００３７】
上記各実施形態において、袋織部２４，７２，９２は、幅方向に横長状の断面楕円形状とする点が共通している。これにより、テープの表裏面に膨大する寸法を小さくすることができると共に、折り曲げた状態を保持するのに適した芯材２６を挿通することができる。ただし、袋織部２４，７２，９２の上記断面楕円形状は、より好ましい例であり、上記各実施形態により断面円形状を除外するものではない。
【００３８】
（第４実施形態）
次に、図１２を参照して、本発明に係るファスナーの第４実施形態であるスライドファスナーについて説明する。なお、第１実施形態と同一又は同等部分については、図面に同一符号を付してその説明を省略或いは簡略化する。
【００３９】
図１２に示すように、左右一対のコイルエレメント列（コイル状のファスナーエレメント列）３０には、その長手方向に沿って内部空間３２が形成されており、
この内部空間３２内には、ファスナーテープ２０の長手方向に沿って芯紐３３がそれぞれ配置されている。この芯紐３３は、コイルエレメント列３０と共に、ファスナーテープ２０のテープ側縁部２０ａに縫い糸（固定糸）３１により縫着される。
【００４０】
そして、本実施形態では、図１２に示すように、芯紐３３内に、１本の断面円形状の芯材２６が芯紐３３の長手方向に沿って織り込み又は編み込みにより配置されている。即ち、芯材２６は、コイルエレメント列３０の内部空間３２内に、芯紐３３と共にファスナーテープ２０の長手方向に沿って配置される。また、芯材２６は、芯紐３３内において、縫い糸３１からファスナーテープ２０の幅方向外側に離れた位置に配置される。これにより、芯材２６がコイルエレメント列３０の内部空間３２内で塑性変形するのに適した配置となる。また、本実施形態では、上記第１実施形態のように、ファスナーテープ２０に袋織部２４は設けられておらず、芯材２６はコイルエレメント列３０の内部空間３２内のみに配置される。
【００４１】
以上説明したように、本実施形態のスライドファスナー１０によれば、左右一対のファスナーテープ２０のテープ側縁部２０ａに左右一対のコイルエレメント列３０がそれぞれ取り付けられ、コイルエレメント列３０に、その長手方向に沿って内部空間３２が形成され、この内部空間３２内に塑性変形可能な芯材２６がファスナーテープ２０（又はテープ部材２０）の長手方向に沿って配置されるため、ファスナーテープ２０の表面に樹脂製の芯材２６が露出することがない。ここで、内部空間３２の形成されるコイルエレメント列３０の長手方向とファスナーテープ２０の長手方向は同じ方向である。これにより、アイロン掛けの熱などにより樹脂製の芯材２６が変形することがないので、スライドファスナー１０の保形性が損なわれるのを防止することができ、また、ファスナーテープ２０と芯材２６の同色性を考慮する必要がない。また、芯材２６の周囲をコイル状のモノフィラメントで包囲しているので、芯材２６に例えば、指やアイロンなどが引っ掛かることを回避することができる。
【００４２】
また、本実施形態のスライドファスナー１０によれば、コイルエレメント列３０の内部空間３２内に芯材２６が配置されるので、衣服等の生地をコイルエレメント列３０の縁部に接近させて、ファスナーテープ２０を衣服等の生地に縫い付けることができる。
その他の構成及び作用効果については、上記第１実施形態と同様である。
【００４３】
（第５実施形態）
次に、図１３を参照して、本発明に係るファスナーの第５実施形態であるスライドファスナーについて説明する。なお、第１及び第４実施形態と同一又は同等部分については、図面に同一符号を付してその説明を省略或いは簡略化する。
【００４４】
本実施形態では、図１３に示すように、芯材２６は、コイルエレメント列３０の内部空間３２内において、芯紐３３のファスナーテープ２０の幅方向外側に隣接して配置される。また、本実施形態においても、上記第４実施形態のように、芯材２６は、縫い糸３１からファスナーテープ２０の幅方向外側に離れた位置に配置され、コイルエレメント列３０の内部空間３２の内面の幅方向外側と芯紐３３によって囲まれる空間に配置される。
その他の構成及び作用効果については、上記第１及び第４実施形態と同様である。
【００４５】
また、上記第４及び第５実施形態では、コイルエレメント列３０は、縫い糸３１によりファスナーテープ２０に縫着されているが、これに限定されず、コイルエレメント列３０は、ファスナーテープ２０の織製又は編製と同時にファスナーテープ２０に織り（編み）込まれることにより、ファスナーテープ２０に取り付けられてもよい。この場合、コイルエレメント列３０は、ファスナーテープ２０の一部を構成する織製の経糸又は編製の編糸（例えば、鎖編糸）によりファスナーテープ２０に取り付けられ、この経糸又は編糸が固定糸を構成する。
【００４６】
（第６実施形態）
次に、図１４を参照して、本発明に係るファスナーの第６実施形態であるスライドファスナーについて説明する。なお、第１実施形態と同一又は同等部分については、図面に同一符号を付してその説明を省略或いは簡略化する。
【００４７】
本実施形態では、図１４に示すように、ファスナーテープ２０のテープ側縁部２０ａに、上記第１実施形態のコイルエレメント列３０のコイル状のファスナーエレメント列の変形例として、ジグザグ状のファスナーエレメント列１００が縫い糸（固定糸）３１により縫着されている。
【００４８】
ジグザグ状のファスナーエレメント列１００は、噛合頭部１０１と、噛合頭部１０１の上端部からファスナーテープ２０の表面に沿って幅方向外側に延びる上脚部１０２と、噛合頭部１０１の下端部からファスナーテープ２０の裏面に沿って幅方向外側に延びる下脚部１０３と、上脚部１０２の後端部と隣り合う上脚部１０２の後端部とを連結し、また、下脚部１０３の後端部と隣り合う下脚部１０３の後端部とを連結する反転部１０４と、を備え、連続したジグザグ状のファスナーエレメントを構成している。
【００４９】
そして、本実施形態では、ファスナーエレメント列１００の噛合頭部１０１、上脚部１０２、及び下脚部１０３間に形成される内部空間１０５内に、１本の断面円形状の芯材２６がファスナーテープ２０の長手方向に沿って配置される。また、芯材２６は、ファスナーテープ２０のテープ側縁部２０ａの端面に隣接し、上脚部１０２と下脚部１０３との間に位置するように保持される。また、本実施形態では、芯材２６は、縫い糸３１の幅方向内側（噛合するファスナーエレメント列１００側）に配置される。
【００５０】
以上説明したように、本実施形態のスライドファスナー１０によれば、左右一対のファスナーテープ２０のテープ側縁部２０ａに左右一対のジグザグ状のファスナーエレメント列１００がそれぞれ取り付けられ、ファスナーエレメント列１００の長手方向に沿って形成される内部空間１０５内に、塑性変形可能な芯材２６がファスナーテープ２０の長手方向に沿って配置されるため、ファスナーテープ２０の表面に樹脂製の芯材２６が露出することがない。これにより、アイロン掛けの熱などにより樹脂製の芯材２６が変形することがないので、スライドファスナー１０の保形性が損なわれるのを防止することができ、また、ファスナーテープ２０と芯材２６の同色性を考慮する必要がない。また、芯材２６に例えば、指やアイロンなどが引っ掛かることを回避することができる。
【００５１】
また、本実施形態のスライドファスナー１０によれば、ファスナーエレメント列１００の内部空間１０５内に芯材２６が配置されるので、衣服等の生地をファスナーエレメント列１００の縁部に接近させて、ファスナーテープ２０を衣服等の生地に縫い付けることができる。
その他の構成及び作用効果については、上記第１実施形態と同様である。
【００５２】
（第７実施形態）
次に、図１５〜図１７を参照して、本発明に係るファスナーの第７実施形態であるスライドファスナーについて説明する。なお、第１及び第４実施形態と同一又は同等部分については、図面に同一符号を付してその説明を省略或いは簡略化する。
【００５３】
本実施形態では、図１５及び図１６に示すように、上記第１実施形態のファスナーテープ２０の代わりに、ファスナーテープ１１０が使用されている。なお、本実施形態では、左側のファスナーテープ１１０についてのみ説明し、右側にも同様のファスナーテープ１１０が対称に配置されているものとする。
【００５４】
ファスナーテープ１１０は、織製からなり、図１７に示すように、その幅方向中間部分に、経糸のない緯糸のみの組織であり、中間部分と隣り合う左右部分よりも織組織が粗い経糸排除領域（粗組織領域）１１１がファスナーテープ１１０の長手方向に沿って連続して設けられる。なお、ファスナーテープ１１０は編製からなっていてもよい。
【００５５】
また、ファスナーテープ１１０は、経糸排除領域１１１において幅方向に折り返され、経糸排除領域１１１がテープ側縁部１１０ａとされる。さらに、折り返されたファスナーテープ１１０の表裏方向に対向する表側テープ部１１２と裏側テープ部１１３との間にコイルエレメント列３０が配置され、コイルエレメント列３０の噛合頭部３４が、ファスナーテープ１１０の内面側から経糸排除領域１１１を介して外面側に突出される。また、表側及び裏側テープ部１１２，１１３は、コイルエレメント列３０の近傍において縫い糸１１４により表裏方向に縫い付けられている。
【００５６】
また、本実施形態では、図１５及び図１６に示すように、コイルエレメント列３０の内部空間３２内に、１本の塑性変形可能な断面長円形状の芯材２６ｂがファスナーテープ１１０の長手方向に沿って配置される。換言すると、芯材２６ｂは、折り返されたファスナーテープ１１０の内面側に配置される。
【００５７】
以上説明したように、本実施形態のスライドファスナー１０によれば、経糸排除領域１１１においてファスナーテープ１１０を幅方向に折り返し、折り返したファスナーテープ１１０の内面側に芯材２６ｂが配置されるため、ファスナーテープ１１０の表面に樹脂製の芯材２６ｂが露出することがない。これにより、アイロン掛けの熱などにより樹脂製の芯材２６ｂが変形することがないので、スライドファスナー１０の保形性が損なわれるのを防止することができ、また、ファスナーテープ１１０と芯材２６ｂの同色性を考慮する必要がない。また、芯材２６ｂに例えば、指やアイロンなどが引っ掛かることを回避することができる。
その他の構成及び作用効果については、上記第１及び第４実施形態と同様である。
【００５８】
（第８実施形態）
次に、図１８及び図１９を参照して、本発明に係るファスナーの第８実施形態であるスライドファスナーについて説明する。なお、第１実施形態と同一又は同等部分については、図面に同一符号を付してその説明を省略或いは簡略化する。
【００５９】
本実施形態では、図１８及び図１９に示すように、ファスナーテープ２０のテープ側縁部２０ａに２つの袋織部２４が表裏方向に隣接して設けられており、この２つの袋織部２４の内部に、１本の断面円形状の芯材２６がテープ側縁部２０ａに沿ってそれぞれ配置されている。また、芯材２６は、複数本の編糸からなる編チューブ１２０により被覆されている。
【００６０】
また、ファスナーテープ２０には、複数のファスナーエレメント１２２から構成されるファスナーエレメント列１２１が合成樹脂の射出成形によりテープ側縁部２０ａに沿って形成されている。このファスナーエレメント列１２１は、ファスナーテープ２０の表裏面上に位置する基部と、その基部から延びる首部と、その首部から更に延びファスナーテープ２０の長手方向に膨大する噛合頭部と、を有する。また、ファスナーエレメント１２２は、袋織部２４上にまで形成されており、芯材２６は、ファスナーエレメント列１２１により表裏方向両側から挟持して保持されている。なお、ファスナーエレメント列１２１は、後述する第９実施形態の金属製のファスナーエレメント列１３１であってもよい。
【００６１】
以上説明したように、本実施形態のスライドファスナー１０によれば、テープ側縁部２０ａに沿って塑性変形可能な芯材２６が配置され、芯材２６が、ファスナーエレメント列１２１によりファスナーテープ２０の表裏方向両側から挟持されるため、ファスナーテープ２０の表面に樹脂製の芯材２６が露出することがない。これにより、アイロン掛けの熱などにより樹脂製の芯材２６が変形することがないので、スライドファスナー１０の保形性が損なわれるのを防止することができ、また、ファスナーテープ２０と芯材２６の同色性を考慮する必要がない。また、芯材２６に例えば、指やアイロンなどが引っ掛かることを回避することができる。
【００６２】
また、本実施形態のスライドファスナー１０によれば、芯材２６がファスナーエレメント列１２１により挟持されるため、ファスナーテープ２０の裁断後に芯材２６が外部に出てしまうのを防止することができる。
その他の構成及び作用効果については、上記第１実施形態と同様である。
【００６３】
（第９実施形態）
次に、図２０及び図２１を参照して、本発明に係るファスナーの第９実施形態であるスライドファスナーについて説明する。なお、第１実施形態と同一又は同等部分については、図面に同一符号を付してその説明を省略或いは簡略化する。
【００６４】
本実施形態では、図２０及び図２１に示すように、ファスナーテープ２０のテープ側縁部２０ａに１つの袋織部２４が設けられており、この１つの袋織部２４の内部に、１本の断面円形状の芯材２６がテープ側縁部２０ａに沿って配置されている。なお、芯材２６は、上記第８実施形態のように、編チューブ１２０により被覆されていてもよい。
【００６５】
また、ファスナーテープ２０には、複数の金属製のファスナーエレメント１３２から構成されるファスナーエレメント列１３１がテープ側縁部２０ａに沿ってかしめにより取り付けられている。また、ファスナーエレメント１３２は、袋織部２４上を挟んでおり、芯材２６は、ファスナーエレメント列１３１により表裏方向両側から挟持して保持されている。なお、ファスナーエレメント列１３１は上記第８実施形態の合成樹脂製のファスナーエレメント列１２１であってもよい。
【００６６】
以上説明したように、本実施形態のスライドファスナー１０によれば、テープ側縁部２０ａに沿って塑性変形可能な芯材２６が配置され、芯材２６が、ファスナーエレメント列１３１によりファスナーテープ２０の表裏方向両側から挟持されるため、ファスナーテープ２０の表面に樹脂製の芯材２６が露出することがない。これにより、アイロン掛けの熱などにより樹脂製の芯材２６が変形することがないので、スライドファスナー１０の保形性が損なわれるのを防止することができ、また、ファスナーテープ２０と芯材２６の同色性を考慮する必要がない。また、芯材２６に例えば、指やアイロンなどが引っ掛かることを回避することができる。
【００６７】
また、本実施形態のスライドファスナー１０によれば、芯材２６がファスナーエレメント列１３１により挟持されるため、ファスナーテープ２０の裁断後に芯材２６が外部に出てしまうのを防止することができる。
その他の構成及び作用効果については、上記第１実施形態と同様である。
【００６８】
以下に、図２２〜図２７を参照して、第１及び第４〜第９実施形態のスライドファスナー１０の使用例について説明する。
図２２はスライドファスナー１０を前開きのシャツ５０に使用した例を示し、このシャツ５０は、スライドファスナー１０によって開閉することができ、スライダー４０を下げて襟５１を開いたときに、襟５１を自由自在に折り曲げることができる。
また、図２３はスライドファスナー１０を前開きのパーカー５５に使用した例を示し、このパーカー５５は、スライドファスナー１０によって開閉することができ、さらに、スライドファスナー１０がフード５６の開口縁の全周に亘って取り付けられているので、フード５６の開口縁を自由自在に折り曲げることができる。
また、図２４はスライドファスナー１０をジャケット１４０の袖口１４１及び空気取入口１４２に使用した例を示し、図２５はスライドファスナー１０をパンツ１４５の裾口１４６に使用した例を示し、図２６はスライドファスナー１０をブーツ１５０の側面１５１に使用した例を示す。
また、図２７はスライドファスナー１０を正三角錐形状の収納ポーチ１５５に使用した例を示し、この収納ポーチ１５５は、スライドファスナー１０を螺旋状に巻き回しながら、例えば、コイルエレメント列３０を順次係合させることにより得られる。
また、図示は省略するが、スキーウェアなどの脇部、背中部、太腿部などにスライドファスナーを設け、このファスナーを開くことで、各部の通気性を確保するような衣服にも使用できる。この使用例によれば、その通気箇所を広く開けた状態に保持することが可能となる。
【符号の説明】
【００６９】
１０    スライドファスナー（ファスナー）
２０    ファスナーテープ（テープ部材）
２０ａ  テープ側縁部
２３    内側平織部
２４    袋織部
２５    外側平織部
２６    芯材
２６ａ  芯材
２６ｂ  芯材
２７    溶着部
２８    仕切部
２９    切込部
３０    コイルエレメント列（エレメント列、係合素子）
３１    縫い糸（固定糸）
３２    内部空間
３３    芯紐
３４    噛合頭部
４０    スライダー
６０    テープ付きスナップファスナー（ファスナー）
６１    雄側スナップ（係合部、係合素子）
６２    雌側スナップ（係合部、係合素子）
７０    ファスナーテープ（テープ部材）
７１    内側平織部
７２    袋織部
７３    外側平織部
８０    面ファスナー（ファスナー）
８１    ループ状係合部（係合部、係合素子）
８２    フック状係合部（係合部、係合素子）
９０    ファスナーテープ（テープ部材）
９１    内側平織部
９２    袋織部
９３    外側平織部
１００    ファスナーエレメント列
１１０    ファスナーテープ（テープ部材）
１１０ａ  テープ側縁部
１１１    経糸排除領域（粗組織領域）
１１２    表側テープ部
１１３    裏側テープ部
１２０    編チューブ
１２１    ファスナーエレメント列
１２２    ファスナーエレメント
１３１    ファスナーエレメント列
１３２    ファスナーエレメント
【図１】
0005403639.tif 000002
【図２】
0005403639.tif 000003
【図３】
0005403639.tif 000004
【図４】
0005403639.tif 000005
【図５】
0005403639.tif 000006
【図６】
0005403639.tif 000007
【図７】
0005403639.tif 000008
【図８】
0005403639.tif 000009
【図９】
0005403639.tif 000010
【図１０】
0005403639.tif 000011
【図１１】
0005403639.tif 000012
【図１２】
0005403639.tif 000013
【図１３】
0005403639.tif 000014
【図１４】
0005403639.tif 000015
【図１５】
0005403639.tif 000016
【図１６】
0005403639.tif 000017
【図１７】
0005403639.tif 000018
【図１８】
0005403639.tif 000019
【図１９】
0005403639.tif 000020
【図２０】
0005403639.tif 000021
【図２１】
0005403639.tif 000022
【図２２】
0005403639.tif 000023
【図２３】
0005403639.tif 000024
【図２４】
0005403639.tif 000025
【図２５】
0005403639.tif 000026
【図２６】
0005403639.tif 000027
【図２７】
0005403639.tif 000028